(57)【特許請求の範囲】
【請求項１】
排水孔を備えた軒樋に、
前記排水孔に連通する開口を上部に備えた水溜め容器を接続し、
前記水溜め容器の下部に、外部の排水筒に接続する接続孔を設け、
前記軒樋の前端から垂下させた面と前記軒樋の後端から垂下させた面の間に、
前記水溜め容器を設けた雨樋構造であって、
前記水溜め容器の前記接続孔の開口面積を、前記軒樋の前記排水孔の開口面積よりも小さく設け、
前記水溜め容器を、左右方向の幅寸法と高さ方向の寸法とがほぼ同じ寸法となるように設け、前記水溜め容器の内部の最大開口面積を、前記軒樋の前記排水孔の開口面積よりも大きく設けることにより、前記水溜め容器内に水が溜まってサイフォン現象が発生されるようになしたことを特徴とする雨樋構造。
【発明の詳細な説明】
【技術分野】
【０００１】
本発明は、軒樋を流れる雨水を一旦溜めて、サイフォン現象を誘発させることで排水効率を向上させる雨樋構造に関するものである。
【背景技術】
【０００２】
従来から、軒樋を流れる雨水を一旦溜めて、サイフォン現象を誘発させることで排水効率を向上させる雨樋構造が、特許文献１等で提案されている。
【０００３】
この雨樋構造は、図５（ｃ）に示すように、軒先に固定された２本の軒樋１，１の隣合う端部１６，１６間に、集水器８を取り付けたものである。集水器８は、図５（ｂ）に示すように、上部が上方および左右方向に向けて開口し、その上部の左右両端部に、軒樋１の端部１６の前端１１と後端１２に係止させるための係止部８０，８０をそれぞれ備える。そして、集水器８の底部には、外部の排水筒３が接続される接続孔８１を備える。
【０００４】
この雨樋構造は、以下のようにして、設置される。
【０００５】
まず、軒先に固定された２本の軒樋１，１の隣合う端部１６，１６に、集水器８を下方から差し込み、軒樋１の端部１６の前端１１と後端１２に、集水器８の係止部８０，８０を係止させる（図５（ａ）参照）。そして、集水器８の接続孔８１に、外部の排水筒３を接続する。
【０００６】
上記構成の雨樋構造では、雨が降ると、軒樋１からの雨水が集水器８に流れ込んで、この集水器８に雨水が集まる。すると、この集まった雨水が、集水器８の接続孔８１を介して外部の排水筒３に流れ落ちる。このとき、この排水筒３の流路がいっぱいになると、サイフォン現象が発生する。
【０００７】
サイフォン現象が発生すると、集水器８中の雨水が、排水筒３に向けて引っ張られ、排水効率が大幅に向上する。
【先行技術文献】
【特許文献】
【０００８】
【特許文献１】特開２００４−３０８３９９号公報
【発明の概要】
【発明が解決しようとする課題】
【０００９】
しかし、上記構成の雨樋構造では、以下のような問題があった。
【００１０】
すなわち、集水器８は、隣合う２本の軒樋１の端部１６，１６間に取り付けるものであるので、取付位置が限定される。
【００１１】
また、集水器８は、軒樋１の前端１１と後端１２にそれぞれ外側から係止部８０を係止させて取り付けるものであるので、軒樋１の前端よりも前側に突出し、さらに後端よりも後側に突出していて（図５（ａ）参照）、前後方向にコンパクトではなかった。
【００１２】
また、集水器８は、２本の軒樋１の端部１６，１６間に取り付けるものであるので、軒樋１の外見上の連続性が遮断されて、見栄えがよいものではなかった。
【００１３】
そこで、上記事情を鑑みて、本発明は、軒樋の任意の箇所に設けることができて、コンパクトで見栄えがよく、排水性能を向上させることができる雨樋構造を提供することを課題とする。
【課題を解決するための手段】
【００１４】
上記課題を解決するための本発明の雨樋構造は、排水孔を備えた軒樋に、前記排水孔に連通する開口を上部に備えた水溜め容器を接続し、前記水溜め容器の下部に、外部の排水筒に接続する接続孔を設け、前記軒樋の前端から垂下させた面と前記軒樋の後端から垂下させた面の間に、前記水溜め容器を設けた雨樋構造であって、前記水溜め容器の前記接続孔の開口面積を、前記軒樋の前記排水孔の開口面積よりも小さく設け、前記水溜め容器を、左右方向の幅寸法と高さ方向の寸法とがほぼ同じ寸法となるように設け、前記水溜め容器の内部の最大開口面積を、前記軒樋の前記排水孔の開口面積よりも大きく設けることにより、前記水溜め容器内に水が溜まってサイフォン現象が発生されるようになしたことを特徴とする。
【発明の効果】
【００１５】
本発明の雨樋構造は、軒樋の任意の箇所に設けることができて、コンパクトで見栄えがよく、排水性能を向上させることができる。
【図面の簡単な説明】
【００１６】
【図１】本発明の実施形態の雨樋構造を示す側面断面図である。
【図２】同上の雨樋構造を示し、(ａ)は水溜め容器の上面部の平面図であり、（ｂ）は水溜め容器の取付具の正面図であり、（ｃ）は水溜め容器の正面図であり、（ｄ）は水溜め容器の側面図である。
【図３】同上の雨樋構造の斜視図を示し、(ａ)は水溜め容器の上面部であり、（ｂ）は水溜め容器の取付具であり、（ｃ）は水溜め容器であり、（ｄ）は取付具の上方に設置する落葉よけである。
【図４】同上の雨樋構造を軒先に取り付けた状態の側面図である。
【図５】従来の雨樋構造を示し、（ａ）は軒樋に集水器を取り付けた状態の側面断面図であり、（ｂ）は集水器の斜視図であり、（ｃ）は雨樋構造を軒先に設けた状態の正面図である。
【発明を実施するための形態】
【００１７】
以下、本発明を添付図面に示す実施形態に基づいて説明する。
【００１８】
本実施形態の雨樋構造は、図４に示すように、軒先の鼻隠し７等に固定した軒樋支持具６で支える１本の軒樋１に設けたものである。この雨樋構造は、軒樋１と、軒樋１に連通接続させる水溜め容器２と、この水溜め容器２に連通接続させる排水筒３とから構成される。以下においては、図４に示すように、軒樋１と水溜め容器２と排水筒３を接続した状態を基準として、鼻隠し７から軒樋１に向かう方向（図４中の左方向）を前方とし、その反対方向（図４中の右方向）を後方とし、図４の奥側を右方向とし、図４の手前側を左方向とする。
【００１９】
軒樋１は、左右方向に長く延びる角樋であり、図１に示すように、平坦な底壁１３の前端から斜め上方前方に向けて前壁１４が立設され、底壁１３の後端から後壁１５が略垂直に立設されている。本実施形態では、軒樋１の前端は、前壁１４の上端となり、軒樋１の後端は、後壁１５全体となっている。軒樋１の底壁１３の左右方向の好適な箇所には、排水孔１０を上下に貫通させて設けている。この排水孔１０は、直径Ｌ２（開口幅Ｌ２）の丸孔である。なお、本実施形態では、排水孔１０の開口面積は、約２５平方センチメートルとなるように形成している。
【００２０】
水溜め容器２は、その上面部の開口に固定される蓋部２２（図２（ａ）及び図３（ａ）参照）と、この蓋部２２を軒樋１の底壁１３に取り付ける取付具２３（図２（ｂ）及び図３（ｂ）参照）とを備える。
【００２１】
蓋部２２には、図２（ａ）及び図３（ａ）に示すように、開口２０を上下方向に貫通させて設けている。開口２０は、排水孔１０と同じ直径Ｌ２（開口幅Ｌ２）の丸孔である。この開口２０の周縁部からは、下方に向けて筒状部２４が突出形成されている。この筒状部２４の内周面には、雌ねじが形成されている。なお、筒状部２４の内径は、開口２０と同径となるように形成されている。
【００２２】
取付具２３は、図２（ｂ）及び図３（ｂ）に示すように、その下部に蓋部２２の筒状部２４に固定するための中空筒状の固定部２５を備える。そして、この固定部２５の上部に、抜け落ち防止のための鍔部２６を備える。そして、この鍔部２６の上部に、落ち葉止め部２７を備える。落ち葉止め部２７は、その上端部に水抜け筒を備える。
【００２３】
固定部２５の外周面には、蓋部２２の筒状部２４の内周面に設けた雌ねじに螺合する雄ねじが形成されている。なお、筒状部２４の内周面に雄ねじを形成し、固定部２５の外周面に雌ねじを形成してもよい。鍔部２６は、リング状であり、その内径が、固定部２５の内径と同じで、その外径が、固定部２５の外径より大径に形成されている。なお、本実施形態では、取付具２３全体の高さ寸法が６０ｍｍで、固定部２５の高さ寸法が２５ｍｍで、固定部２５の外径が５６ｍｍで、鍔部２６の外径が７０ｍｍで、落ち葉止め部２７の上端部の水抜け筒の外径が２６ｍｍとなるように形成されている。
【００２４】
水溜め容器２は、図２（ｃ），図２（ｄ）及び図３（ｃ）に示すように、箱状である。この水溜め容器２では、図１に示すＬ１部分、すなわち、水溜め容器２に固定した蓋部２２の筒状部２４の下端より若干下方の部分が、最も流路面積（開口面積）が大きい部分となり、この部分から下方に近づくほど流路面積（開口面積）が小さくなる。本実施形態では、この部分の最大開口面積が、５３平方センチメートルとなるように形成している。なお、水溜め容器２は、図２（ｃ），図２（ｄ）に示すように、前後方向の開口幅よりも左右方向の開口幅の方が大きくなるように形成されている。本実施形態では、水溜め容器２は、左右方向の幅寸法が９０ｍｍで、高さ寸法が９０ｍｍで、前後方向の奥行き寸法が７０ｍｍで形成されており、０．３リットルの容量を有するように設けられている。水溜め容器２は、左右方向の幅寸法が７０〜１００ｍｍで、高さ寸法が５５〜１５０ｍｍで、前後方向の奥行き寸法が７０〜７５ｍｍとなるように設ければ、排水性能を保持した上で、外観を良好に保つことができる。
【００２５】
水溜め容器１の底部には、図１に示すように、接続孔２１を上下に貫通させて設けている。接続孔２１は、開口幅Ｌ３の角孔である。図２（ｃ），図２（ｄ）及び図３（ｃ）に示すように、接続孔２１の周縁部からは下方に向けて四角柱状の筒状部２８が突出形成されている。筒状部２８内部の前後方向及び左右方向の開口幅は、接続孔２１の開口幅Ｌ３と同幅となるように形成されている。そして、本実施形態では、この筒状部２８の高さ寸法が、１５ｍｍとなるように形成している。なお、本実施形態では、接続孔２１の開口面積は、１６平方センチメートルとなるように形成している。
【００２６】
接続孔２１には、外部の排水筒３の上流端が接続される。なお、本実施形態では、排水筒３は、水の流れの方向を約９０°変えるエルボ３０であり、このエルボ３０の下流端には前後方向に延びる呼び樋３１の上流端が接続されている。呼び樋３１の下流端は、上下に延びる竪樋（図示せず）の上流端に直接または別のエルボを介して接続される。なお、接続孔２１には、エルボ３０を介さず、呼び樋３１や竪樋が直接接続されてもよい。
【００２７】
本実施形態の雨樋構造では、図１に示すように、水溜め容器２内部の流路面積（開口面積）が最も大きくなる部分の前後方向幅である最大幅Ｌ１を、軒樋１の排水孔１０の開口幅Ｌ２より広く設けている。そして、水溜め容器２に設けた接続孔２１の開口幅Ｌ３を、軒樋１の排水孔１０の開口幅Ｌ２よりも狭く設けている。つまり、本実施形態の雨樋構造では、水溜め容器２内部の最大開口面積を、軒樋１の排水孔１０の開口面積より大きく設け、水溜め容器２に設けた接続孔２１の開口面積を、軒樋１の排水孔１０の開口面積よりも小さく設けている。
【００２８】
そして、本実施形態の雨樋構造では、軒樋１に水溜め容器２を接続した状態で、この水溜め容器２が、図１に示すように、軒樋１の前端１１から垂下した仮想面Ｓ１と、軒樋１の後端１２から垂下した仮想面Ｓ２の間に、収まるように形成している。なお、本実施形態では、この水溜め容器２が、軒樋１の底壁１３の前端から垂下した仮想面Ｓ３と、軒樋１の後端１２から垂下した仮想面Ｓ２の間に、収まっている。
【００２９】
上述したように各構成が形成される本実施形態の雨樋構造は、例えば、以下のようにして組み立てられる。
【００３０】
まず、軒樋１の底壁１３の左右方向の好適な箇所に排水孔１０を開口する。次いで、この排水孔１０の下方に水溜め容器２の蓋部２２を配置し、この排水孔１０と蓋部２２の開口２０を平面視にて一致するように連通させる。次いで、上方から取付具２３の固定部２５を排水孔１０と開口２０に差し込み、固定部２５を蓋部２２の筒状部２４に固定する。このとき、接着剤を塗布して固定部２５と筒状部２４とを固定し、固定部２５と筒状部２４との間からの水漏れを防止する。次いで、蓋部２２に下方から水溜め容器２を差し込み、固定する。次いで、水溜め容器２の底部の接続孔２１に外部の排水筒３を連通するように接続する。最後に、取付具２３の上方に、網状の落ち葉よけ５を設置する。
【００３１】
以上のように組み立てた本実施形態の雨樋構造では、雨が降ると以下のようにして、雨水が排水される。
【００３２】
まず、雨水が屋根を伝って軒樋１に流れ込む。軒樋１に流れ込んだ雨水は、排水孔１０に固定している落ち葉止め部２７に流れ込み、その後、筒状部２４を介して、水溜め容器２まで流れ込む。このとき、落ち葉止め部２７と、その周りに設けている網状の落ち葉よけ５によって、落ち葉が水溜め容器２内に流れ込むのを防止できる。次いで、水溜め容器２に流れ込んだ雨水は、接続孔２１を通じて、外部の排水筒３に一部流れ込みながら、この水溜め容器２内に徐々に溜まっていく。水溜め容器２内に雨水が溜まって、接続孔２１が常に雨水で浸かった状態になると、この接続孔２１に接続されている排水筒３内の流路が満水状態となる。すると、この排水筒３は、その下流端が地上部分（地中に設けた下水管等）まで繋がっているので、サイフォン現象が発生し、水溜め容器２内の雨水が排水筒３側に引っ張られる状態となる。すると、水溜め容器２内の雨水が、排水筒３を介して勢い良く排水される状態となる。
【００３３】
ここで、本実施形態の雨樋構造は、軒樋１と排水筒３を水溜め容器２を介して接続している。そのため、軒樋１に排水筒３を直接接続する場合と比べて、軒樋１に極力大きい開口幅の排水孔１０を設けたうえで、排水筒３の径を小さく設けることができる。よって、水溜め容器２への流入量を多くしたうえで、排水筒３の流路を狭くしてサイフォン現象を起こしやすくできる。しかも、軒樋１と排水筒３の間に水溜め容器２を設けることで、この水溜め容器２の底部に設けた接続孔２１が水に浸かった状態を極力保持できるので、この部分から排水筒３へと空気が吸い込まれて、排水筒３のサイフォン現象が遮断されてしまうことを抑制できる。
【００３４】
以上のように、本実施形態の雨樋構造は、サイフォン現象を安定的に起こして、排水性能を向上させることができるものとなっている。そのため、本実施形態の雨樋構造では、例えば、軒樋１に接続する排水筒３の本数を減らすことができる。また、この軒樋１に接続する排水筒３として細いものを使用することができるので、見栄えが良くなる。
【００３５】
以上まとめると、本実施形態の雨樋構造は、排水孔１０を備えた軒樋１に、排水孔１０に連通する開口２０を上部に備えた水溜め容器２を接続し、水溜め容器２の下部に、外部の排水筒３に接続する接続孔２１を設けたものである。そして、軒樋１の前端から垂下した面と軒樋１の後端から垂下した面の間に、水溜め容器２を設けている。
【００３６】
以上のように、本実施形態の雨樋構造は、１本の軒樋１の好適な箇所に排水孔１０を設け、その排水孔１０に水溜め容器２を接続して設けることができる。すなわち、本実施形態の雨樋構造は、従来例のように、２本の軒樋の端部間に取り付けなくてもよいので、自由に取付位置を選択できるものとなっている。併せて、本実施形態の雨樋構造は、１本の軒樋１に設けることができるので、軒樋１の外見上の連続性を遮断しない見栄えの良いものとなっている。
【００３７】
また、軒樋１に接続される水溜め容器２は、軒樋１の前端と後端の間に収まるように設けたものである。つまり、本実施形態の雨樋構造は、水溜め容器２が、従来例のように軒樋１の前端より前側に突出したものでなく、軒樋１の後端より後側に突出したものでもないので、前後方向にコンパクトとなっている。
【００３８】
また、軒樋１の排水孔１０に連通させて水溜め容器２を設けたことで、軒樋１からの排水を水溜め容器２内に一旦溜めておくことができる。よって、水溜め容器２から接続孔２１を介して外部の排水筒３に一度に大量の雨水を流すことができるので、この排水筒３内の排水路を満水状態にして、この水溜め容器２内の排水が排水筒３側に引っ張られるサイフォン現象を発生させやすいものとなっている。また、水溜め容器２の底部に設けた接続孔２１は雨水に全体が浸かった状態となりやすいので、この接続孔２１を通じて排水筒３に空気が吸い込まれることを抑制できる。そのため、空気吸い込みによるサイフォン現象の遮断を抑制できる。よって、サイフォン現象を安定して発生させることができるので、排水性能が大幅に良くなる。
【００３９】
以上のように、本実施形態の雨樋構造は、軒樋１の任意の箇所に設けることができて、コンパクトで見栄えがよく、排水性能を向上させることができるものとなっている。
【００４０】
また、本実施形態の雨樋構造は、水溜め容器２の内部の最大開口面積を、軒樋１の排水孔１０の開口面積よりも大きく設け、接続孔２１の開口面積を、軒樋１の排水孔１０の開口面積よりも小さく設けている。
【００４１】
以上のように、本実施形態の雨樋構造は、水溜め容器２の内部の最大開口面積＞軒樋１の排水孔１０の開口面積＞接続孔２１の開口面積、となるように設けている。そのため、水溜め容器２への流入量が、水溜め容器２からの流出量よりも多く、軒樋１の排水量より、水溜め容器２の容量のほうが多いので、軒樋１からの排水を水溜め容器２内により確実に一旦溜めることができる。よって、水溜め容器２から接続孔２１を介して外部の排水筒３に一度に大量の雨水を流すことができるので、この排水筒３内の排水路を満水状態にして、この水溜め容器２内の排水が排水筒３側に引っ張られるサイフォン現象を安定して発生させることができる。また、水溜め容器２の底部に設けた接続孔２１は雨水に全体が浸かった状態となりやすいので、この接続孔２１を通じて排水筒３に空気が吸い込まれることを抑制できる。そのため、空気吸い込みによるサイフォン現象の遮断を抑制できる。よって、サイフォン現象を安定して発生させることができるので、排水性能が大幅に良くなる。
【００４２】
以上のように、本実施形態の雨樋構造は、サイフォン現象をより安定して発生させて、排水性能を向上させることができるものとなっている。
【００４３】
以上、本発明を添付図面に示す実施形態に基づいて説明したが、本発明は上記の各実施形態に限定されるものではなく、本発明の意図する範囲内であれば、適宜の設計変更が可能である。
【符号の説明】
【００４４】
１      軒樋
１０    排水孔
２      水溜め容器
２０    開口
２１    接続孔
３      排水筒
【図１】
0005923757.tif 000002
【図２】
0005923757.tif 000003
【図３】
0005923757.tif 000004
【図４】
0005923757.tif 000005
【図５】
0005923757.tif 000006